(57)【要約】【課題】  営業マンが自社の個性を顧客に印象つける為に会社ロゴマーク等の画像データを紙媒体の名刺に印刷している苦労を、携帯電話端末でも尊重できるような名刺代行機能搭載の携帯型移動通信端末を提供すること。【解決手段】  データを入力するキー１１０及び画像データを表示する表示部１２０をもち、データ送受信機能１６０を有する携帯電話機において、名刺文字データ記憶部２１０と名刺画像データ記憶部２２０から、当該名刺所持人の名刺情報として表現される名刺文字情報と名刺画像情報を読み出して、名刺所持人の所望する名刺文字画像データにおける配置情報として記憶する名刺文字画像データ記憶部２３０を有し、データ送受信機能１６０により受信した名刺文字画像データを、送信側の携帯電話機の表示部に表示する態様と同一の態様で、受信側の携帯電話機の表示部に表示させる機能を備えたことを特徴とする。【選択図】  図１
2010088002.tif 000002
【特許請求の範囲】
【請求項１】
データを入力するキー及び該キー入力により選択し或いは作成された画像データあるいは受信した画像データを表示する表示部をもち、ネットワーク経由又は携帯電話機間のデータ送受信機能を有する携帯電話機において、
名刺所持人の業務関連書誌情報を文字情報として記憶する名刺文字データ記憶部と、
当該名刺所持人のシンボルマークや写真等の画像名刺データを画像情報として記憶する名刺画像データ記憶部と、
前記名刺文字データ記憶部と前記名刺画像データ記憶部から、当該名刺所持人の名刺情報として表現される名刺文字情報と名刺画像情報を読み出して、名刺所持人の所望する名刺文字画像データにおける配置情報として記憶する名刺文字画像データ記憶部と、
名刺交換モードを設定する機能と、
前記名刺交換モードが設定されているときに、前記名刺文字画像データ記憶部に記憶されている名刺所持人の所望する名刺文字画像データを読み出して前記表示部に表示する機能と、
前記表示部に表示される名刺文字画像データの中から一つの名刺文字画像データが選択された後、送信キーが押下選択されたされたとき、前記選択された名刺文字画像データを読み出して他の携帯電話機へ送信する名刺データ送信機能と、
前記データ送受信機能により受信した名刺文字画像データを、送信側の携帯電話機の表示部に表示する態様と同一の態様で、受信側の携帯電話機の表示部に表示させる機能を備えたことを特徴とする名刺代行機能を搭載した携帯電話機。
【請求項２】
前記名刺データ作成機能は、
ユーザ固有のパターンをもつ名刺を作成するために用意されたフォーマットの異なる複数の名刺パターンを格納する機能と、
名刺パターン切り替え指示に従って、前記格納されているフォーマットの異なる複数の名刺パターンを順次切り替え表示する機能と、
前記表示された名刺パターンの中から選択された名刺パターンと、キー入力された名刺情報とから当該名刺パターンの名刺データを作成することにより、前記フォーマットの異なる複数の名刺データの作成が可能な名刺データ作成機能と、
を有することを特徴とする請求項１に記載の名刺代行機能を搭載した携帯電話機。
【請求項３】
ネットワーク経由のデータ送受信機能を用いるときは、他の携帯電話機の電話番号又はメールアドレスが入力されたときに、前記名刺データ送信機能によって、前記選択された名刺文字画像データを読み出して他の携帯電話機へ送信し、
携帯電話機間のデータ送受信機能を用いるときは、他の携帯電話機と対向させて送信キーが操作されたときに、前記名刺データ送信機能によって、前記選択された名刺文字画像データを読み出して他の携帯電話機へ送信することを特徴とする請求項１に記載の名刺代行機能を搭載した携帯電話機。
【発明の詳細な説明】
【技術分野】
【０００１】
本発明は、紙媒体の名刺をペーパーレス化するための、携帯電話機等の移動通信端末を用い、通信ネットワークや端末相互間の直接送受信を介して名刺交換等を可能にする名刺代行機能搭載の携帯型移動通信端末に関する。
【背景技術】
【０００２】
名刺は、一般に個人情報を印刷した紙カードによって構成されており、他人との間で名刺交換を行うことによりコミュニケーションの補助機能を果している。そのため出張等の際には名刺の携行は欠かせないが、出張先の滞在期間が延びてしまい名刺が無くなってしまったり、名刺を忘れてしまったりすることがしばしばあり、先方に対してマナー違反をおかすことがある。
【０００３】
また、収集した名刺は専用ファイル等に保管するか、電子手帳等に手作業で入力し、必要なときに活用されるが、名刺の数が多くなると必要な名刺をファイルの中から検索するのに時間がかかり、さらにキー操作により名刺データを入力するのも手間がかかるという問題がある。特に展示会や集客イベントの際には、収集される名刺が多数になり、この名刺記載の顧客データを別途、データ入力作業を行って顧客管理に役立てているのが、実際である。
【０００４】
このような問題を解消する手段として、通信機能を持つＰＤＡ（Ｐｅｒｓｏｎａｌ  Ｄｉｇｉｔａｌ  Ａｓｓｉｓｔａｎｔ）あるいは携帯型パソコンを利用する方法がある。ＰＤＡでは、予め登録した名刺情報を他のＰＤＡと交換するとともに、受信した情報を自装置のアドレス帳に取り込むことができるようになっている。一方、携帯型パソコンを利用する方法では、名刺交換機能及びそれと連携したアドレス帳管理機能を持つＰＩＭ（Ｐｅｒｓｏｎａｌ  Ｉｎｆｏｒｍａｔｉｏｎ  Ｍａｎａｇｅｒ）ソフト等をインストールしておき、通信可能な装置との間で自動的に名刺情報を交換することを可能にしている（特許第４００４６８３号公報等）。
【０００５】
また、携帯電話端末に端末所有者の名刺情報を予め登録しておき、名刺交換挨拶の際に、紙カードの名刺の代わりに電子化した名刺情報を専用の無線方式でやり取りし、収集した名刺情報管理を携帯電話端末内で自動的に行うことにより、上記ＰＤＡあるいは携帯型パソコンを携行することなく名刺情報の携帯性を図り、どこでも名刺情報検索を可能にする携帯電話端末が特開２００１−１１７８８３号公報に記載されている。
【０００６】
上記公報記載の携帯電話端末では、携帯電話端末に、端末持主の会社名、所属名、役職、氏名、住所、電話番号、ＦＡＸ番号、電子メールアドレス等の名刺情報を入力し記録するアプリケーションソフトとそれらの情報を格納するメモリと、相手からの同様の名刺情報を受信するとともに名刺交換に関連するメモ情報を入力可能とし、項目単位に管理及び記録するアプリケーションソフトとそれらの情報を格納するメモリとを備え、名刺交換作業は、通常の携帯電話利用に支障のない周波数帯でかつ受信エリアの狭い微弱電波あるいは赤外線等の光による無線方式により、携帯電話端末間で名刺情報を送受信することにより行われる。さらに、収集した名刺情報の会社名、氏名等から連絡先の電話番号検索、あるいは電子メール宛先指定を行い、携帯電話端末から直接アクセスできる機能を有している。
【０００７】
さらに、特許文献２のような端末間の直接送受信に代えて、電子化した名刺情報をネットワーク経由で送受信することも提案されている（特許第３７０９３７７号公報等）
【特許文献１】特許第４００４６８３号公報
【特許文献２】特開２００１−１１７８８３号公報
【特許文献３】特許第３７０９３７７号公報
【発明の開示】
【発明が解決しようとする課題】
【０００８】
ところで、上記公報記載の携帯電話端末による名刺交換を行えば、紙製の名刺カードが不要となってパルプ資源の節約につながり、名刺を注文購入する必要もないのでコスト削減が可能となるとともに、名刺の管理も容易となる。また、もっとも、携帯電話機は近年急速に普及しているものの、各端末の機能はまちまちであり、例えば赤外線等の光による無線通信を行う通信プロトコルの互換性に乏しく、同じ通信プロトコルを採用している赤外線等の光による無線通信の場合に限り、名刺交換が可能になる利点がある。
【０００９】
また携帯電話端末は、名刺交換を効果的に行うために、名刺に印刷される文字情報を送受信するのが一般的である。そこで、名刺に印刷された会社ロゴマークや、所持人の写真データ等の情報量の大きな画像データを送受信し、或いは名刺全体の画像データをそのまま送受信することは少ない。そこで、営業マンが紙媒体の名刺を作成するに当り、自社の個性を顧客に印象つける為に会社ロゴマークや、所持人の写真データ等の情報量の大きな画像データを紙媒体の名刺に印刷している苦労が存在しているのに、携帯電話端末の名刺交換では、交換する情報量を削減するため、紙媒体の名刺の全てについては画像データとして送受しないのが実際である。しかし、これでは営業マンが自社の個性を顧客に印象つける為に会社ロゴマークや、所持人の写真データ等の情報量の大きな画像データを紙媒体の名刺に印刷している苦労が、携帯電話端末では無視されてしまうという課題がある。
【００１０】
本発明は、上述した課題を解決するもので、その目的は、営業マンが自社の個性を顧客に印象つける為に会社ロゴマークや、所持人の写真データ等の情報量の大きな画像データを紙媒体の名刺に印刷している苦労を、携帯電話端末でも尊重できるような名刺代行機能搭載の携帯型移動通信端末を提供することである。
【課題を解決するための手段】
【００１１】
上記目的を達成する本発明の名刺代行機能搭載の携帯型移動通信端末は、例えば図１に示すように、データを入力するキー１１０及び該キー入力により選択し或いは作成された画像データあるいは受信した画像データを表示する表示部１２０をもち、ネットワーク経由１３０又は携帯電話機間１４０のデータ送受信機能１６０を有する携帯電話機において、業務関連書誌情報を文字情報として記憶する名刺文字データ記憶部２１０と、当該名刺所持人のシンボルマークや写真等の画像名刺データを画像情報として記憶する名刺画像データ記憶部２２０と、名刺文字データ記憶部２１０と名刺画像データ記憶部２２０から、当該名刺所持人の名刺情報として表現される名刺文字情報と名刺画像情報を読み出して、名刺所持人の所望する名刺文字画像データにおける配置情報として記憶する名刺文字画像データ記憶部２３０と、名刺交換モードを設定する機能２４０と、前記名刺交換モードが設定されているときに、名刺文字画像データ記憶部２３０に記憶されている名刺所持人の所望する名刺文字画像データを読み出して表示部１２０に表示する名刺文字画像データ表示制御部２５０と、表示部１２０に表示される名刺文字画像データの中から一つの名刺文字画像データが選択された後、送信キーが押下選択されたされたとき、当該選択された名刺文字画像データを読み出して他の携帯電話機へ送信する名刺データ送信機能２６０と、データ送受信機能１６０により受信した名刺文字画像データを、送信側の携帯電話機の表示部に表示する態様と同一の態様で、受信側の携帯電話機の表示部に表示させる機能２７０を備えたことを特徴とする。
【００１２】
上記機能は、携帯電話機内蔵のＣＰＵ１００により携帯電話機内のメモリに格納された名刺管理プログラム２００に従って実行される。この名刺管理プログラムには、名刺作成部２０２、名刺文字データ記憶部２１０、名刺画像データ記憶部２２０、名刺文字画像データ記憶部２３０、記憶されている名刺データを読み出して表示する名刺データ表示制御部２５０、名刺データ送信部２６０、受信した名刺データを表示する受信名刺データ表示制御部２７０、記憶されている名刺データの検索機能２８０等が備えられている。
【００１３】
名刺文字データ記憶部２１０には、業務関連書誌情報が文字情報として記憶されている。ここで、業務関連書誌情報とは、例えば名刺所持人の所属する団体名称、当該団体内部での肩書き、当該団体での連絡先となる住所又は居所、電話番号、電子メールアドレス情報、名刺所持人の氏名を含むものである。名刺画像データ記憶部２２０には、当該名刺所持人のシンボルマークや写真等の画像名刺データを画像情報として記憶されている。名刺作成部２０２には、名刺文字データ記憶部２１０や名刺画像データ記憶部２２０に記憶させる文字情報や画像情報を持たせても良く、名刺文字データ記憶部２１０や名刺画像データ記憶部２２０の記憶している文字情報や画像情報や、外部で作成された文字情報や画像情報も含めて、当該名刺所持人の名刺情報として表現される名刺文字情報と名刺画像情報を読み出して、名刺文字画像データ記憶部２３０に名刺所持人の所望する名刺文字画像データにおける配置情報として記憶する。
【００１４】
名刺文字画像データ表示制御部２５０では、名刺交換モードが設定されているときに、名刺文字画像データ記憶部２３０に記憶されている名刺所持人の所望する名刺文字画像データを読み出して表示部１２０に表示する。名刺データ送信機能２６０により、表示部１２０に表示される名刺文字画像データの中から一つの名刺文字画像データが選択された後、送信キーが押下選択されたとき、データ送受信機能１６０により前記選択された名刺文字画像データを読み出して他の携帯電話機へ送信する。これに対して、受信側の携帯電話機の表示部１２０では、データ送受信機能１６０により受信した名刺文字画像データを、送信側の携帯電話機の表示部に表示する態様と同一の態様で、受信名刺データ表示制御部２７０を用いて、受信側の携帯電話機の表示部に表示させる。
【００１５】
好ましくは、本発明の名刺代行機能搭載の携帯型移動通信端末において、例えば図２に示すように、名刺作成部２０２には、ユーザ固有のパターンをもつ名刺を作成するために用意されたフォーマットの異なる複数の名刺パターンを格納する文字画像データ配置援助部２０４と、名刺パターン切り替え指示２０６に従って、前記格納されているフォーマットの異なる複数の名刺パターンを順次切り替え表示する文字画像データ表示制御部２０８と、前記表示された名刺パターンの中から選択された名刺パターンと、キー入力された名刺情報とから当該名刺パターンの名刺データを作成することにより、名刺所持人の所望する名刺文字画像データにおける配置情報の作成を支援する名刺文字画像データ作成支援制御部２０９とを有することを特徴とする。
【００１６】
好ましくは、本発明の名刺代行機能搭載の携帯型移動通信端末において、例えば図１に示すように、ネットワーク経由１３０のデータ送受信機能１６０を用いるときは、他の携帯電話機の電話番号又はメールアドレスが入力されたときに、データ送受信機能１６０によって、前記選択された名刺文字画像データを読み出して他の携帯電話機へ送信し、携帯電話機間１４０のデータ送受信機能１６０を用いるときは、他の携帯電話機と対向させて送信キーが操作されたときに、データ送受信機能１６０によって、前記選択された名刺文字画像データを読み出して他の携帯電話機へ送信することを特徴とする。
【発明の効果】
【００１７】
本発明は、移動通信端末（携帯電話）が通信機能として備えているｉメールや高速データ通信を利用して名刺の交換を行う機能を実現し、又は赤外線通信などの機器間直接通信によって名刺の交換を行う機能を実現するので、携帯電話機に名刺交換を行うために専用のハードウェアを別途設ける必要がない。また、受信側の携帯電話機の表示部１２０では、データ送受信機能１６０により受信した名刺文字画像データを、送信側の携帯電話機の表示部に表示する態様と同一の態様で、受信名刺データ表示制御部２７０を用いて、受信側の携帯電話機の表示部に表示させるので、営業マンが自社の個性を顧客に印象つける為に会社ロゴマークや、所持人の写真データ等の情報量の大きな画像データを紙媒体の名刺に印刷している苦労を、携帯電話端末でも尊重できる。
【発明を実施するための最良の形態】
【００１８】
図１は、本発明における名刺代行機能搭載の携帯型移動通信端末のハードウェア構成と名刺管理プログラムの機能ブロック構成を示す構成図である。図において、携帯型移動通信端末には、ＣＰＵ１００、キー入力部１１０、表示器１２０、アンテナ１３０、赤外線機器間通信部１４０、音声送受信管理部１５０、データ通信管理部１６０、バス１７０、名刺管理プログラム等が記憶されたＲＡＭやＲＯＭ等のメモリ１８０が設けられている。
【００１９】
ＣＰＵ１００は、中央制御装置（Ｃｅｎｔｒａｌ  Ｐｒｏｃｅｓｓｉｎｇ  Ｕｎｉｔ）の略語で、例えばマイクロプロセッサが用いられており、音声データ処理を円滑に行うためＤＳＰ（Ｄｉｇｉｔａｌ  Ｓｉｇｎａｌ  Ｐｒｏｃｅｓｓｏｒ）等のデータ処理プロセッサを含めることができる。キー入力部１１０は、数字キーや英文字・平仮名・カタカナ等の文字入力キーのほか、電源のオンオフのような操作キーを含むものである。表示器１２０には、例えば液晶パネルが用いられる。アンテナ１３０は、携帯電話機の場合には使用する周波数帯域に応じた１／２波長又は１／４波長の長さのものが用いられる。赤外線機器間通信部１４０は、携帯電話機の機器間通信に適する波長の微弱な赤外線レーザが用いられるが、他の波長帯域でもよい。音声送受信管理部１５０は、携帯電話機の場合に、送信側の音声信号をデジタル処理したり、受信側の音声信号をアナログ信号に変換するのに用いる。データ通信管理部１６０は、例えばメール情報やパソコン用のＷＥＢサイトの閲覧のような画像情報のデータ送受信を管理する。バス１７０は、携帯型移動通信端末内部でのデータ授受を行うための母線で、システムバス、メモリバス、入出力バスの類型に区分けされる場合もある。ＲＡＭやＲＯＭは、内部メモリであり、このほかＳＤカードやメモリカード等の外部記憶用の情報記憶媒体が用いられる。
【００２０】
本発明における名刺管理プログラムには、名刺作成部２０２、名刺文字データ記憶部２１０、名刺画像データ記憶部２２０、名刺文字画像データ記憶部２３０、名刺交換モード設定部２４０、記憶されている名刺データを読み出して表示する名刺データ表示制御部２５０、名刺データ送信部２６０、受信した名刺データを表示する受信名刺データ表示制御部２７０、受信名刺データ記憶部２７５、名刺データの検索機能２８０等が備えられている。
【００２１】
名刺文字データ記憶部２１０には、業務関連書誌情報が文字情報として記憶されている。業務関連書誌情報には、例えば名刺所持人の所属する団体名称、当該団体内部での肩書き、当該団体での連絡先となる住所又は居所、電話番号、電子メールアドレス情報、名刺所持人の氏名が含まれる。業務関連書誌情報なので、個人情報保護法の保護する個人識別情報には当たらず、収集された業務関連書誌情報の管理が容易になる。名刺画像データ記憶部２２０には、当該名刺所持人のシンボルマークや写真等の画像名刺データを画像情報として記憶されている。名刺作成部２０２には、名刺文字データ記憶部２１０や名刺画像データ記憶部２２０に記憶させる文字情報や画像情報を持たせると共に、名刺文字データ記憶部２１０や名刺画像データ記憶部２２０の記憶している文字情報や画像情報や、外部で作成された文字情報や画像情報も含めて、当該名刺所持人の名刺情報として表現される名刺文字情報と名刺画像情報を読み出して、名刺文字画像データ記憶部２３０に名刺所持人の所望する名刺文字画像データにおける配置情報として記憶させる機能を設ける。名刺交換モード設定部２４０は、名刺交換モードを設定するもので、他の動作モードとしては、音声送受信モード、メール送受信モード、インターネット閲覧モード、数値演算モード、テレビ視聴モード等がある。
【００２２】
名刺文字画像データ表示制御部２５０では、名刺交換モードが設定されているときに、名刺文字画像データ記憶部２３０に記憶されている名刺所持人の所望する名刺文字画像データを読み出して表示部１２０に表示する。名刺データ送信機能２６０により、表示部１２０に表示される名刺文字画像データの中から一つの名刺文字画像データが選択された後、送信キーが押下選択されたされたとき、データ送受信機能１６０により前記選択された名刺文字画像データを読み出して他の携帯電話機へ送信する。これに対して、受信側の携帯電話機として機能する場合、表示部１２０では、データ送受信機能１６０により受信した名刺文字画像データを、送信側の携帯電話機の表示部に表示する態様と同一の態様で、受信名刺データ表示制御部２７０を用いて、受信側の携帯電話機の表示部に表示させる。
【００２３】
図２は、名刺作成部の詳細を説明する構成ブロック図である。図において、名刺作成部２０２には、文字画像データ配置援助部２０４、名刺パターン切り替え指示２０６、文字画像データ表示制御部２０８、名刺文字画像データ作成支援制御部２０９が設けられている。文字画像データ配置援助部２０４は、ユーザ固有のパターンをもつ名刺を作成するために用意されたフォーマットの異なる複数の名刺パターンを格納している。ここで、フォーマットとは、名刺文字データ記憶部２１０や名刺画像データ記憶部２２０に記憶させた文字情報や画像情報を、名刺文字画像データ記憶部２３０に名刺所持人の所望する名刺文字画像データにおける配置情報として記憶させるための、類型的配置の雛形である。名刺パターン切り替え指示２０６は、表示部１２０に表示すべきフォーマットの切替を指示するもので、キー入力部１１０が用いられる。文字画像データ表示制御部２０８は、文字画像データ配置援助部２０４に格納されているフォーマットの異なる複数の名刺パターンを、名刺パターン切り替え指示２０６からの切替指示に従って表示部１２０に表示する。名刺文字画像データ作成支援制御部２０９は、文字画像データ表示制御部２０８により表示された名刺パターンの中から選択された名刺パターンと、キー入力された名刺情報とから当該名刺パターンの名刺データを作成することにより、名刺所持人の所望する名刺文字画像データにおける配置情報の作成を支援する。
【００２４】
このように構成された装置の動作を次に説明する。図３は、本発明における名刺作成機能を示す処理フロー図である。携帯電話機１のユーザ機能である名刺管理プログラムが起動され、メニューキーにより名刺作成モードが選択されると、携帯電話機１の表示画面１２０上に名刺管理プログラムのトップページとしてのトップ表示１０１が表示される。表示１０１後、決定キーを押下すると名刺文字データ記憶部２１０に記憶する文字情報を表示するための表示１０２になるので、名前、会社名、電話番号及びＥメールアドレス等の名刺情報を各記入欄にキー入力すると、表示画面１２０は表示１０３のようになる。この場合会社名、電話番号及びＥメールアドレスは、業務用の相手として個人情報保護法の適用除外にあたるか、自然人として個人情報保護法により保護されているかによって、任意的入力機能とする。例えば、会社関連の人々に面会する際には業務用情報としてオプション箇所を明記することは許容されるが、学生同士、主婦などの個人情報保護法にいう個人識別情報に当たる場合は、相手方の同意が必要な項目である。このようにして、所望の名刺の文字情報を作成（表示１０３）し、確定キーを押下すると名刺文字データ記憶部２１０に記憶される。
【００２５】
次に、名刺画像データ記憶部２２０に記憶された、当該名刺所持人のシンボルマークや写真等の画像名刺データが画像情報として表示画面１２０上に表示される（表示１０４）。なお、これらの画像名刺データは、予め携帯電話機１に付帯のカメラ機能や、別途パソコンで作成した会社ロゴなどの画像データや、デジタルカメラで作成した写真データを、ネットワーク通信機能や機器間通信機能で携帯電話機１に送信して名刺画像データ記憶部２２０に記憶させるとよい。
【００２６】
次に、名刺文字画像データ記憶部２３０に記憶すべき名刺所持人の所望する名刺文字画像データの配置情報を決定するため、名刺作成部２０２の文字画像データ配置援助部２０４が呼び出される。そして、名刺パターン切り替え指示２０６を操作して、文字画像データ表示制御部２０８により、名刺文字画像データの配置情報が表示画面１２０上に表示される（表示１０５）。名刺文字画像データ作成支援制御部２０９は、表示１０５のような読み出される横書きフォーマットの名刺パターンに対して名刺情報をキー入力した後、それを縦書きに変更すること、あるいは文字の大きさ、文字フォントの変更等の指定を行うことにより、ユーザ固有のパターンをもつ名刺を作成することができる。さらに、読み出された名刺パターンの中に適当な名刺パターンがない場合には、文字画像データ配置援助部２０４の新規配置パターンを選択することにより、ユーザ固有の名刺文字情報や画像情報を配列した名刺パターンを作成することができる。
【００２７】
そのため、名刺文字画像データ作成支援制御部２０９には、名刺文字情報や画像情報の配置についてのフォーマットの異なる複数の名刺文字画像配置パターンが予め用意されプログラム内に格納されている。そこで、表示１０５が表示されているときに、名刺パターン切り替え指示２０６を指示すると、プログラム内に格納されている名刺文字画像配置パターンが切り替え表示され、ユーザは表示された名刺文字画像配置パターンの中から適当な名刺文字画像配置パターンを選択することが可能である。また、名刺作成部２０２で作成したデータは、受信した名刺文字画像配置パターンと併せて、例えば１０００件程度まで保存可能である。そして、名刺文字画像データを保存する場合には、情報記憶媒体やネットワーク通信機能を用いてユーザが使用しているパソコン等にデータを転送して保存しておくこともできる。
【００２８】
図４は、本発明における名刺交換機能を示す処理フロー図である。キー１１０の操作により名刺交換機能が選択される（Ｓ２００）と、名刺文字画像データ記憶部２３０に記憶されている自己の名刺文字画像データが読み出されて表示部１２０に表示される（Ｓ２０１）。その際、名刺文字画像データ記憶部２３０に複数の異なる名刺文字画像配置パターンが登録されている場合には、他の名刺文字画像配置パターンを重ねて表示したり、並べて表示してもよい。
【００２９】
ユーザは名刺文字画像データ記憶部２３０に記憶されている自己の名刺文字画像データを順次表示させ、所望の自己の名刺文字画像データが表示されたときに確定キーを押下する（Ｓ２０２）。次に、相手端末の電話番号あるいはメールアドレスを入力し（Ｓ２０３）、或いは赤外線機器間通信部１４０の場合は相手端末との位置を適合させて、機器の送信キーを押下する（Ｓ２０４）。すると、名刺文字画像データ記憶部２３０に記憶された自己の名刺文字画像データが相手端末に送信される（Ｓ２０５）。
【００３０】
図５は、本発明における名刺受信機能を示す処理フロー図である。相手端末から名刺文字画像データを受信する（Ｓ３００）と、受信した名刺文字画像データが表示部１２０に表示される（Ｓ３０１）。名刺文字画像データが表示されている時に保存キーを押下する（Ｓ３０２）と、この受信された名刺文字画像データが受信名刺データ記憶部２７５に記憶される（Ｓ３０３）。ここでは、受信側の携帯電話機の表示部１２０では、データ送受信機能１６０により受信した名刺文字画像データを、送信側の携帯電話機の表示部に表示する態様と同一の態様で、受信名刺データ表示制御部２７０を用いて、受信側の携帯電話機の表示部に表示させるので、営業マンが自社の個性を顧客に印象つける為に会社ロゴマークや、所持人の写真データ等の情報量の大きな画像データを紙媒体の名刺に印刷している苦労を、携帯電話端末でも尊重できる。
【００３１】
受信名刺データ記憶部２７５に記憶された名刺文字画像データは、名刺データ検索機能により検索することができる。図６は、本発明における名刺検索機能を示す処理フロー図である。キー１１０の操作により名刺検索機能を選択し（Ｓ４００）、名前、会社名等の検索項目を指定して（Ｓ４０１）データをキー入力する（Ｓ４０２）と、該当する名刺データの数が表示部１２０に表示される（Ｓ４０３）。該当する名刺データの数が多い場合には更に検索項目を増やす等により数を減らすことができる。
【００３２】
該当する名刺データの数が表示部に表示されているとき、名刺データの表示を指示するキーを押下する（Ｓ４０４）と、ヒットした名刺データの内の一つが表示部１２０に表示される（Ｓ４０５）。その後、名刺データの表示を指示するキーを押下する毎に、ヒットした他の名刺データが順次表示される。
【図面の簡単な説明】
【００３３】
【図１】本発明における名刺代行機能搭載の携帯型移動通信端末のハードウェア構成と名刺管理プログラムの機能ブロック構成を示す構成図である。
【図２】本発明における名刺管理プログラムの機能ブロック図である。
【図３】本発明における名刺作成機能を示す処理フロー図である。
【図４】本発明における名刺交換機能を示す処理フロー図である。
【図５】本発明における名刺受信機能を示す処理フロー図である。
【図６】本発明における名刺検索機能を示す処理フロー図である。
【符号の説明】
【００３４】
１０  携帯型移動通信端末
１１０  キー
１２０  表示部
１６０  データ送受信機能
２００  名刺作成機能部
２１０  名刺文字データ記憶部
２２０  名刺画像データ記憶部
２３０  名刺文字画像データ記憶部
２４０  名刺交換モード設定部
２５０  名刺文字画像データ表示制御部
２６０  名刺文字画像データ送信制御部
２７０  受信名刺データ表示制御部
【図１】
2010088002.tif 000003
【図２】
2010088002.tif 000004
【図３】
2010088002.tif 000005
【図４】
2010088002.tif 000006
【図５】
2010088002.tif 000007
【図６】
2010088002.tif 000008